(57)【要約】【課題】利便性を向上させることが可能な媒体印刷装置および媒体印刷システムを提供する。【解決手段】本開示の一実施の形態に係る媒体印刷装置は、複数の制御端末がネットワーク網を介して接続されている媒体印刷装置であって、印刷対象としての媒体が挿入される媒体挿入口と、この媒体挿入口に挿入される媒体を検知する媒体検知部と、上記複数の制御端末から出力される印刷指示に基づいて、媒体挿入口に挿入された媒体に対して印刷処理を行う印刷部と、この印刷部における印刷処理の制御を行う制御部とを備えている。この制御部は、上記複数の制御端末のうちの印刷指示を出力した制御端末である印刷指示端末の媒体印刷装置に対する設置方向と、媒体検知部における検知結果に基づいて判定された媒体の挿入方向とが一致した場合に、上記印刷処理を実行させる。【選択図】図１
2019155810.tif 000002
【特許請求の範囲】
【請求項１】
複数の制御端末がネットワーク網を介して接続されている媒体印刷装置であって、
印刷対象としての媒体が挿入される媒体挿入口と、
前記媒体挿入口に挿入される前記媒体を検知する媒体検知部と、
前記複数の制御端末から出力される印刷指示に基づいて、前記媒体挿入口に挿入された前記媒体に対して印刷処理を行う印刷部と、
前記印刷部における前記印刷処理の制御を行う制御部と
を備え、
前記制御部は、
前記複数の制御端末のうちの前記印刷指示を出力した制御端末である印刷指示端末の前記媒体印刷装置に対する設置方向と、前記媒体検知部における検知結果に基づいて判定された前記媒体の挿入方向とが一致した場合に、
前記印刷処理を実行させる
媒体印刷装置。
【請求項２】
前記制御部は、
前記印刷指示端末における前記設置方向と、前記媒体の挿入方向とが一致しない場合には、
前記媒体挿入口を閉じる制御を行う
請求項１に記載の媒体印刷装置。
【請求項３】
前記制御部は、
前記印刷指示端末における前記設置方向と、前記媒体の挿入方向とが一致しない場合に、
アラームを更に出力する
請求項２に記載の媒体印刷装置。
【請求項４】
前記媒体を退避させるための退避路を更に備え、
前記制御部は、
前記印刷指示端末からの前記印刷指示に基づく前記印刷処理の完了前に、
前記複数の制御端末のうちの前記印刷指示端末とは異なる他の制御端末から他の印刷指示が出力されると共に、前記媒体の挿入方向が前記他の制御端末における前記設置方向と一致する他の媒体が、前記媒体検知部により検知された場合には、
前記他の媒体を、前記退避路に一時的に退避させる
請求項１ないし請求項３のいずれか１項に記載の媒体印刷装置。
【請求項５】
前記制御部は、
前記印刷指示端末からの前記印刷指示に基づく前記印刷処理の完了後に、
前記他の媒体を前記退避路から復帰させて、前記他の制御端末からの前記他の印刷指示に基づく前記印刷処理を、前記他の印刷媒体に対して実行する
請求項４に記載の媒体印刷装置。
【請求項６】
前記媒体検知部が、前記媒体印刷装置を基準とした前記複数の制御端末の設置方向ごとに個別に配置された複数のセンサを含んで構成されており、
前記制御部は、前記複数のセンサのうちのいずれのセンサにおいて前記媒体が検知されたのかを示す前記検知結果に基づいて、前記媒体の挿入方向を判定する
請求項１ないし請求項５のいずれか１項に記載の媒体印刷装置。
【請求項７】
前記制御部は、
前記印刷処理の完了前、または、前記印刷処理の完了後に実行される前記媒体の排出処理の完了前に、
前記媒体検知部によって、前記印刷処理または前記排出処理の対象となる前記媒体とは異なる他の媒体が検知された場合には、
アラームの出力、または、前記媒体挿入口を閉じる制御を行う
請求項１ないし請求項６のいずれか１項に記載の媒体印刷装置。
【請求項８】
媒体印刷装置と、
前記媒体印刷装置に対してネットワーク網を介して接続されている複数の制御端末と
を備え、
前記媒体印刷装置は、
印刷対象としての媒体が挿入される媒体挿入口と、
前記媒体挿入口に挿入される前記媒体を検知する媒体検知部と、
前記複数の制御端末から出力される印刷指示に基づいて、前記媒体挿入口に挿入された前記媒体に対して印刷処理を行う印刷部と、
前記印刷部における前記印刷処理の制御を行う制御部と
を備え、
前記制御部は、
前記複数の制御端末のうちの前記印刷指示を出力した制御端末である印刷指示端末の前記媒体印刷装置に対する設置方向と、前記媒体検知部における検知結果に基づいて判定された前記媒体の挿入方向とが一致した場合に、
前記印刷処理を実行させる
媒体印刷システム。
【発明の詳細な説明】
【技術分野】
【０００１】
本開示は、各種の媒体に対する印刷を行う媒体印刷装置、および、そのような媒体印刷装置と複数の制御端末とを備えた媒体印刷システムに関する。
【背景技術】
【０００２】
銀行等の金融機関における営業店の窓口には、一般に、例えば通帳や伝票等の各種の媒体に対して印刷処理（印字処理）を行うための媒体印刷装置（いわゆる「通帳伝票プリンタ」）が設置されている。
【０００３】
このような媒体印刷装置は、例えば複数の制御端末同士で共用される場合がある（例えば、特許文献１参照）。そのような場合、各制御端末から出力される印刷指示に基づいて、媒体印刷装置における印刷処理が行われるようになっている。
【先行技術文献】
【特許文献】
【０００４】
【特許文献１】特開２０１４−２３５６７３号公報
【発明の概要】
【発明が解決しようとする課題】
【０００５】
ところで、このような媒体印刷装置では一般に、利便性を向上させることが求められている。利便性を向上させることが可能な媒体印刷装置、および、そのような媒体印刷装置を備えた媒体印刷システムを提供することが望ましい。
【課題を解決するための手段】
【０００６】
本開示の一実施の形態に係る媒体印刷装置は、複数の制御端末がネットワーク網を介して接続されている媒体印刷装置であって、印刷対象としての媒体が挿入される媒体挿入口と、この媒体挿入口に挿入される媒体を検知する媒体検知部と、上記複数の制御端末から出力される印刷指示に基づいて、媒体挿入口に挿入された媒体に対して印刷処理を行う印刷部と、この印刷部における印刷処理の制御を行う制御部とを備えたものである。この制御部は、上記複数の制御端末のうちの印刷指示を出力した制御端末である印刷指示端末の媒体印刷装置に対する設置方向と、媒体検知部における検知結果に基づいて判定された媒体の挿入方向とが一致した場合に、上記印刷処理を実行させる。
【０００７】
本開示の一実施の形態に係る媒体印刷システムは、媒体印刷装置と、この媒体印刷装置に対してネットワーク網を介して接続されている複数の制御端末とを備えたものである。上記媒体印刷装置は、印刷対象としての媒体が挿入される媒体挿入口と、この媒体挿入口に挿入される媒体を検知する媒体検知部と、上記複数の制御端末から出力される印刷指示に基づいて、媒体挿入口に挿入された媒体に対して印刷処理を行う印刷部と、この印刷部における印刷処理の制御を行う制御部とを備えている。この制御部は、上記複数の制御端末のうちの印刷指示を出力した制御端末である印刷指示端末の媒体印刷装置に対する設置方向と、媒体検知部における検知結果に基づいて判定された媒体の挿入方向とが一致した場合に、上記印刷処理を実行させる。
【発明の効果】
【０００８】
本開示の一実施の形態に係る媒体印刷装置および媒体印刷システムによれば、利便性を向上させることが可能となる。
【図面の簡単な説明】
【０００９】
【図１】本開示の第１の実施の形態に係る媒体印刷システムの概略構成例を表す模式図である。
【図２】図１に示した媒体印刷装置等の詳細構成例を表す模式図である。
【図３】第１の実施の形態に係る印刷取引処理の一例を表す流れ図である。
【図４】第２の実施の形態に係る媒体印刷装置の構成例を表す模式側面図である。
【図５】第２の実施の形態に係る印刷取引処理の際の一具体例を時系列に沿って表す流れ図である。
【図６】第２の実施の形態に係る印刷取引処理の一例を表す流れ図である。
【図７】図６に示した部分的な印刷処理の一例を表す流れ図である。
【図８】図７に続く部分的な印刷処理の一例を表す流れ図である。
【図９】図７に続く部分的な印刷処理の一例を表す流れ図である。
【図１０】図８に続く部分的な印刷処理の一例を表す流れ図である。
【発明を実施するための形態】
【００１０】
以下、本開示の実施の形態について、図面を参照して詳細に説明する。なお、説明は以下の順序で行う。
１．第１の実施の形態（印刷指示端末の設置方向と媒体の挿入方向との一致判定を行う例）
２．第２の実施の形態（印刷処理中の他の印刷指示の場合に他の媒体を一時退避させる例）
３．変形例
【００１１】
＜１．第１の実施の形態＞
［媒体印刷システム４の概略構成］
図１は、本開示の第１の実施の形態に係る媒体印刷システム（媒体印刷システム４）等の概略構成例を、模式的に表したものである。また、図２は、図１に示した媒体印刷システム４に含まれる、本開示の第１の実施の形態に係る媒体印刷装置（媒体印刷装置１）等の詳細構成例を、模式的に上面図（Ｘ−Ｙ上面図）で表したものである。
【００１２】
媒体印刷システム４は、例えば、銀行等の金融機関における営業店の窓口に設置されるものであり、例えば通帳や伝票等の各種の媒体（後述する媒体９Ａ，９Ｂ等）に対して、印刷処理（印字処理）を行うシステムである。この媒体印刷システム４は、図１に示したように、媒体印刷装置１と、複数（この例では２つ）の制御端末２Ａ，２Ｂとを備えている。また、これらの媒体印刷装置１（における２つのインタフェース用ポート）と、制御端末２Ａ，２Ｂとはそれぞれ、ネットワーク網３を介して互いに接続されている。なお、図２中に示した、制御端末２Ａ，２Ｂに対する各操作者８Ａ，８Ｂとしては、例えば、上記した金融機関における窓口の係員（テラー）等が挙げられる。
【００１３】
（媒体印刷装置１）
媒体印刷装置１は、図１，図２に示したように、例えば通帳や伝票等からなる媒体９Ａ，９Ｂに対して印刷処理（印字処理）を行うものであり、いわゆる「通帳伝票プリンタ」と呼ばれる装置である。この媒体印刷装置１は、２つの制御端末２Ａ，２Ｂ同士で共用されており、詳細は後述するが、これらの制御端末２Ａ，２Ｂからネットワーク網３を介して出力される印刷指示に基づいて、媒体印刷装置１における印刷処理が行われるようになっている。
【００１４】
このような媒体印刷装置１は、図１，図２に示したように、主に、複数（この例では２つ）の媒体検知センサ１０ａ，１０ｂと、媒体挿入口１１１，１１２と、印刷部１５と、制御部１９とを備えている。
【００１５】
媒体挿入口１１１，１１２はそれぞれ、印刷対象としての媒体９Ａ，９Ｂが挿入される挿入口である。なお、以降の例では、これら２つ（２段）の媒体挿入口１１１，１１２のうちの媒体挿入口１１１に対して、媒体９Ａ，９Ｂがそれぞれ挿入されるものとする。
【００１６】
媒体検知センサ１０ａ，１０ｂは、媒体挿入口１１１，１１２に挿入される媒体（媒体９Ａまたは媒体９Ｂ）の通過を検知するセンサである。これらの媒体検知センサ１０ａ，１０ｂはそれぞれ、媒体印刷装置１を基準とした、後述する制御端末２Ａ，２Ｂの設置方向ごとに、個別に配置されている。具体的には、図１，図２に示したように、媒体検知センサ１０ａは、媒体印刷装置１の左側（制御端末２Ａの設置方向側）に配置されており、詳細は後述するが、この制御端末２Ａの操作者８Ａによって挿入される媒体９Ａの通過を検知するようになっている（図２中の矢印Ｐａ参照）。一方、媒体検知センサ１０ｂは、媒体印刷装置１の右側（制御端末２Ｂの設置方向側）に配置されており、詳細は後述するが、この制御端末２Ｂの操作者８Ｂによって挿入される媒体９Ｂの通過を検知するようになっている（図２中の矢印Ｐｂ参照）。
【００１７】
なお、これらの媒体検知センサ１０ａ，１０ｂはそれぞれ、本開示における「媒体検知部」および「複数のセンサ」の一具体例に対応している。
【００１８】
印刷部１５は、２つの制御端末２Ａ，２Ｂからそれぞれ出力される印刷指示（印刷指示信号）に基づいて、媒体挿入口１１１，１１２に挿入された媒体（媒体９Ａまたは媒体９Ｂ）に対して、印刷処理（印字処理）を行うものである。
【００１９】
制御部１９は、媒体印刷装置１全体における各種動作の制御を行うものであり、例えばマイクロコンピュータを用いて構成されている。具体的には、制御部１９は、上記した媒体検知センサ１０ａ，１０ｂや媒体挿入口１１１，１１２、印刷部１５等における各種動作（媒体９Ａ，９Ｂの検知動作や吸入動作、印刷部１５における印刷処理の動作等）の制御を行うようになっている。なお、このような制御部１９における制御の詳細については、後述する。
【００２０】
（制御端末２Ａ，２Ｂ）
制御端末２Ａは、図１に示したように、媒体印刷装置１の左側（上記した媒体検知センサ１０ａの配置方向側）に設置されている端末機器である。この制御端末２Ａは、操作者８Ａによる操作に従って、この操作者８Ａによって媒体印刷装置１の媒体挿入口１１１，１１２に挿入される媒体９Ａに対する印刷指示を、ネットワーク網３を介して媒体印刷装置１へと出力するようになっている（図１，図２参照）。
【００２１】
同様に、制御端末２Ｂは、図１に示したように、媒体印刷装置１の右側（上記した媒体検知センサ１０ｂの配置方向側）に設置されている端末機器である。この制御端末２Ｂは、操作者８Ｂによる操作に従って、この操作者８Ｂによって媒体印刷装置１の媒体挿入口１１１，１１２に挿入される媒体９Ｂに対する印刷指示を、ネットワーク網３を介して媒体印刷装置１へと出力するようになっている（図１，図２参照）。
【００２２】
このような制御端末２Ａ，２Ｂはそれぞれ、例えばパソコン（ＰＣ：Personal Computer）およびその周辺機器等を用いて構成されている。なお、これら２つの制御端末２Ａ，２Ｂはそれぞれ、本開示における「複数の制御端末」の一具体例に対応している。
【００２３】
［動作および作用・効果］
（Ａ．複数の制御端末からの印刷指示について）
まず、複数の制御端末同士で共用されている媒体印刷装置では一般に、各制御端末から出力される印刷指示に基づいて、印刷処理が行われる。
【００２４】
ここで、例えば、これら複数の制御端末からの印刷指示が、ほぼ同じタイミングで並行してなされるような場合が有り得る。そして、このような場合には、印刷指示の内容と媒体との組み合わせが不一致となるような、誤処理（誤った印刷処理）が発生してしまうおそれがある。
【００２５】
具体的には、例えば図１，図２に示した本実施の形態の媒体印刷システム４の場合で説明すると、以下のようになる。すなわち、例えば、制御端末２Ａからの印刷指示の内容が、媒体９Ａではなくて媒体９Ｂに対して印刷されたり、逆に、制御端末２Ｂからの印刷指示の内容が、媒体９Ｂではなくて媒体９Ａに対して印刷されたり、といった組み合わせの不一致（誤った印刷処理）に相当する。
【００２６】
このような誤った印刷処理が発生してしまうと、複数の制御端末同士で媒体印刷装置を共有して印刷処理を行う際の、利便性が損なわれてしまうおそれがある。
【００２７】
ちなみに、上記したように、複数の制御端末からの印刷指示がほぼ同じタイミングで並行してなされるような場合に、媒体に印刷された内容が、いずれの制御端末からの印刷指示の内容であるのかを、以下のようにして判別する手法（比較例）が考えられる。すなわち、この比較例は、印刷が完了して排出される媒体の排出状態（排出時の媒体の向き）に応じて、いずれの制御端末からの印刷指示の内容であるのかを判別する、といった手法である。ところが、この比較例では、印刷処理を実施することを前提としているため、誤った印刷処理であったことが判ったとしても、媒体に無駄が生じてしまう（無駄な印刷処理が行われてしまう）ことになる。
【００２８】
（Ｂ．第１の実施の形態の印刷取引処理）
そこで、本実施の形態の媒体印刷システム４（媒体印刷装置１）では、以下詳述する印刷取引処理（媒体９Ａ，９Ｂに対する印刷処理を含む各種の取引処理）を行うようになっている。
【００２９】
図３は、第１の実施の形態に係る印刷取引処理の一例を、流れ図で表したものである。
【００３０】
本実施の形態の印刷取引処理では、まず、媒体印刷装置１（制御部１９）は、制御端末２Ａまたは制御端末２Ｂからの印刷指示を、ネットワーク網３を介して取得する（図３のステップＳ１０１）。すると、この例では前述したように、媒体挿入口１１１において、媒体９Ａまたは媒体９Ｂの挿入待ち状態（媒体セット待ち状態）となる。
【００３１】
この際に制御部１９は、媒体印刷装置１における２つのインタフェース用ポートのうちの、いずれのポートにおいて印刷指示を取得したのかを判別することによって、後述する、印刷指示を出力した制御端末の設置方向（制御端末２Ａ側または制御端末２Ｂ側）を判定する。すなわち、制御部１９は、例えば、ネットワーク網３を介して制御端末２Ａ側に接続されているインタフェース用ポート側から、印刷指示を取得した場合には、その印刷指示を出力した制御端末の設置方向は、制御端末２Ａ側であると判定する。一方、制御部１９は、例えば、ネットワーク網３を介して制御端末２Ｂ側に接続されているインタフェース用ポート側から、印刷指示を取得した場合には、その印刷指示を出力した制御端末の設置方向は、制御端末２Ｂ側であると判定する。
【００３２】
次いで、操作者８Ａまたは操作者８Ｂによって、媒体９Ａまたは媒体９Ｂを媒体挿入口１１１に挿入しようとすると、操作者８Ａ，８Ｂの手または媒体９Ａ，９Ｂによって、媒体検知センサ１０ａまたは媒体検知センサ１０ｂの近傍が遮られることになる。したがって、この際に媒体検知センサ１０ａまたは媒体検知センサ１０ｂは、媒体９Ａまたは媒体９Ｂの通過を、それぞれ検知する。そして、制御部１９は、このような媒体検知センサ１０ａまたは媒体検知センサ１０ｂによる検知結果に基づいて、媒体（媒体９Ａまたは媒体９Ｂ）の挿入方向を判定する（ステップＳ１０２）。
【００３３】
すなわち、制御部１９は、これら２つの媒体検知センサ１０ａ，１０ｂのうちのいずれのセンサによって媒体が検知されたのかを示す検知結果に基づいて、そのような媒体の挿入方向を判定する。具体的には、例えば、媒体検知センサ１０ａによって媒体９Ａが検知されたことを示す検知結果が得られた場合には、制御部１９は、媒体の挿入方向が制御端末２Ａ側（媒体印刷装置１の左側）であると判定する（図１，図２参照）。一方、例えば、媒体検知センサ１０ｂによって媒体９Ｂが検知されたことを示す検知結果が得られた場合には、制御部１９は、媒体の挿入方向が制御端末２Ｂ側（媒体印刷装置１の右側）であると判定する（図１，図２参照）。
【００３４】
続いて、制御部１９は、ステップＳ１０１において判定された、印刷指示を出力した制御端末（以下、印刷指示端末と称する。）の設置方向と、ステップＳ１０２において判定された媒体の挿入方向とが、一致するのか否かを判定する（ステップＳ１０３）。ここで、これらの方向（印刷指示端末の設置方向および媒体の挿入方向）が一致したと判定された場合には（ステップＳ１０３：Ｙ）、制御部１９は、媒体挿入口１１１に挿入された媒体９Ａまたは媒体９Ｂに対して、印刷部１５による印刷処理を実行させる（ステップＳ１０４）。
【００３５】
具体的には、例えば、印刷指示端末の設置方向および媒体の挿入方向が、いずれも「制御端末２Ａ側（媒体印刷装置１の左側）」であると判定された場合には、制御部１９は、媒体挿入口１１１に挿入された媒体９Ａに対して、印刷処理を実行させる（図１，図２参照）。一方、例えば、印刷指示端末の設置方向および媒体の挿入方向が、いずれも「制御端末２Ｂ側（媒体印刷装置１の右側）」であると判定された場合には、制御部１９は、媒体挿入口１１１に挿入された媒体９Ｂに対して、印刷処理を実行させる（図１，図２参照）。なお、このような印刷処理が完了した後は、印刷処理がなされた媒体９Ａまたは媒体９Ｂの排出処理（媒体挿入口１１１からの排出処理）が行われ、図３に示した一連の印刷取引処理が終了となる。
【００３６】
一方、上記した印刷指示端末の設置方向と媒体の挿入方向とが一致しないと判定された場合には（ステップＳ１０３：Ｎ）、制御部１９は、媒体挿入口１１１（および媒体挿入口１１２）を閉じる制御を行う（ステップＳ１０５）。これにより、この媒体挿入口１１１等に誤った媒体が挿入されてしまうことが、防止されることになる。また、この場合に制御部１９は、併せて、例えば、音声やメッセージ表示の出力、所定のランプの点灯等を利用して、印刷指示端末の設置方向と媒体の挿入方向とが一致していない（誤った媒体を挿入しようとしている）旨を示すアラームを、更に出力する（ステップＳ１０６）。これにより、そのような旨の警告が、操作者８Ａや操作者８Ｂにとって容易に把握できるようになる。以上で、図３に示した一連の印刷取引処理が終了となる。
【００３７】
なお、図３に示した例では、媒体挿入口１１１等を閉じる制御（ステップＳ１０５）と、アラームの出力（ステップＳ１０６）との双方を行う場合について説明したが、これには限られない。すなわち、上記した印刷指示端末の設置方向と媒体の挿入方向とが一致しないと判定された場合に（ステップＳ１０３：Ｎ）、例えば、媒体挿入口１１１等を閉じる制御（ステップＳ１０５）と、アラームの出力（ステップＳ１０６）とのうち、一方のみを行うようにしてもよい。
【００３８】
（Ｃ．作用・効果）
このようにして、本実施の形態の媒体印刷システム４（媒体印刷装置１）では、制御部１９は、複数の制御端末２Ａ，２Ｂのうちの印刷指示端末の設置方向と、媒体検知センサ１０ａ，１０ｂにおける検知結果に基づいて判定された媒体の挿入方向と、が一致した場合に、印刷処理を実行させる。
【００３９】
これにより本実施の形態では、例えば前述したように、複数の制御端末２Ａ，２Ｂからの印刷指示が、ほぼ同じタイミングで並行してなされたような場合でも、印刷指示の内容と媒体との組み合わせが不一致となるような、誤処理（誤った印刷処理）の発生が、防止される。よって、本実施の形態の媒体印刷システム４では、複数の制御端末２Ａ，２Ｂ同士で媒体印刷装置１を共有して印刷処理を行う際の、利便性を向上させることが可能となる。
【００４０】
また、本実施の形態では、上記したように、誤った印刷処理の発生が防止されることから、例えば前述した比較例の場合等とは異なり、媒体に無駄が生じること（無駄な印刷処理）も無くすことが可能となる。
【００４１】
＜２．第２の実施の形態＞
続いて、本開示の第２の実施の形態について説明する。なお、上記した第１の実施の形態における構成要素と同一のものには同一の符号を付し、適宜説明を省略する。
【００４２】
［媒体印刷装置１の構成例］
図４は、第２の実施の形態に係る媒体印刷装置１の構成例を、模式的に側面図（Ｙ−Ｚ側面図）で表したものである。なお、第２の実施の形態に係る媒体印刷システム４全体の構成例は、図１に示した第１の実施の形態と同様となっている。すなわち、本実施の形態の媒体印刷システム４は、本実施の形態の媒体印刷装置１と、複数（この例では２つ）の制御端末２Ａ，２Ｂとにより構成されており、互いにネットワーク網３を介して接続されている。
【００４３】
本実施の形態の媒体印刷装置１は、図４に示したように、主に、２つの媒体検知センサ１０ａ，１０ｂと、２つの媒体挿入口１１１，１１２と、３つの搬送路１２１，１２２，１２３と、複数の搬送ローラ１３と、複数の位置センサ１４と、印刷部１５と、退避路１６と、制御部１９とを備えている。なお、媒体検知センサ１０ａ，１０ｂ、媒体挿入口１１１，１１２および印刷部１５についてはそれぞれ、基本的には第１の実施の形態と同様であるため、説明を省略する。
【００４４】
搬送路１２１は、媒体挿入口１１１から挿入された媒体（媒体９Ａまたは媒体９Ｂ）が、図４中に示した搬送方向ｄ１に沿って搬送される経路である。搬送路１２２は、媒体挿入口１１２から挿入された媒体が、図４中に示した搬送方向ｄ２に沿って搬送される経路である。搬送路１２３は、印刷部１５による印刷処理等が行われる際に、図４中に示した搬送方向ｄ２に沿って媒体が搬送される経路である。
【００４５】
搬送ローラ１３は、搬送路１２１，１２２，１２３上に媒体を搬送させるためのローラである。
【００４６】
位置センサ１４は、搬送路１２１，１２２，１２３上を媒体が搬送される際に、媒体の有無や媒体の位置等を検出するセンサである。
【００４７】
退避路１６は、図４に示したように、搬送路１２１から分岐した位置に設けられており、後述する所定の場合に、図４中に示した搬送方向ｄ６に沿って、媒体を一時的に退避させるための経路である。
【００４８】
制御部１９は、基本的には第１の実施の形態と同様に、各種動作の制御を行うものである。特に本実施の形態では、制御部１９は、後述する所定の場合に、媒体９Ａまたは媒体９Ｂを、搬送方向ｄ６に沿って退避路１６に一時的に退避させるようになっている。なお、このような制御部１９における制御の詳細については、後述する。
【００４９】
［動作および作用・効果］
（Ｄ．第２の実施の形態の印刷取引処理）
続いて、図５〜図１０を参照して、第２の実施の形態に係る印刷取引処理について、詳細に説明する。
【００５０】
（Ｄ−１．時系列に沿った一具体例）
最初に、図４に加えて図５を参照して、第２の実施の形態に係る印刷取引処理の概要について、時系列に沿った一具体例を挙げて説明する。図５は、本実施の形態に係る印刷取引処理の際の一具体例を、媒体印刷装置１、操作者８Ａ（制御端末２Ａ）および操作者８Ｂ（制御端末２Ｂ）の各々について、時系列に沿って流れ図で表したものである。
【００５１】
この印刷取引処理の一具体例では、まず、操作者８Ａの操作によって、制御端末２Ａから媒体印刷装置１に対して、印刷指示が出力される（図５のステップＳ２０１）。次いで、この操作者８Ａによって、媒体印刷装置１の媒体挿入口１１１に対し、媒体９Ａが挿入される（ステップＳ２０２）。すると、この媒体印刷装置１（制御部１９）では、第１の実施の形態で説明したように、印刷指示端末の設置方向と媒体の挿入方向とが制御端末２Ａ側で一致すると判定されるため、挿入された媒体９Ａへの印刷処理が開始される（ステップＳ２０３）。
【００５２】
ここで、このような媒体９Ａへの印刷処理の実行中（完了前）に、操作者８Ｂ（制御端末２Ｂ）側から、以下のような他の印刷指示等がなされたとする。すなわち、操作者８Ｂの操作によって、制御端末２Ｂから媒体印刷装置１に対して他の印刷指示が出力され（ステップＳ２０４）、この操作者８Ｂによって、媒体印刷装置１の媒体挿入口１１１に対し、他の媒体（媒体９Ｂ）が挿入されたものとする（ステップＳ２０５）。
【００５３】
すると、この媒体印刷装置１（制御部１９）では、他の印刷指示端末の設置方向と他の媒体の挿入方向とが制御端末２Ｂ側で一致すると判定されるものの、先に出力された印刷指示（媒体９Ａへの印刷処理）の実行中（完了前）であることから、以下のようになる。
【００５４】
すなわち、媒体印刷装置１（制御部１９）は、まず、この他の媒体である媒体９Ｂを、図４中に示した搬送方向ｄ６に沿って、退避路１６へ一時的に退避させる（ステップＳ２０６）。なお、このような退避路１６への媒体の退避は、例えば、図示しない切り替えブレード等を利用して行われる。そして、その後に、媒体９Ａへの印刷処理が完了し（ステップＳ２０７）、媒体印刷装置１の媒体挿入口１１１から、印刷された媒体９Ａが排出される（操作者８Ａが印刷された媒体９Ａを受け取る）と（ステップＳ２０８）、以下のようになる。
【００５５】
すなわち、次に媒体印刷装置１（制御部１９）は、一時的に退避させていた媒体９Ｂを、退避路１６から搬送路１２３へと復帰させ（図４参照；ステップＳ２０９）、その後、この媒体９Ｂへの印刷処理を開始させる（ステップＳ２１０）。なお、このような退避路１６からの媒体の復帰についても、例えば、前述した切り替えブレード等を利用して行われる。そして、この媒体９Ｂへの印刷処理が完了すると（ステップＳ２１１）、媒体印刷装置１の媒体挿入口１１１から、印刷された媒体９Ｂが排出される（操作者８Ｂが印刷された媒体９Ｂを受け取る）ことになる（ステップＳ２１２）。以上で、図５に示した印刷取引処理の一具体例が終了となる。
【００５６】
（Ｄ−２．一般化した印刷取引処理）
次いで、図４，図５に加えて図６〜図１０を参照して、図５に示した印刷取引処理の一具体例などを実行する際の、一般化した印刷取引処理について、詳細に説明する。図６〜図１０は、第２の実施の形態に係る（一般化した）印刷取引処理の一例を、流れ図で表したものである。なお、図７〜図１０における丸の中示した「Ａ」〜「Ｅ」はそれぞれ、矢印で示した方向に沿って、同じ文字同士で処理が繋がっていることを意味している。
【００５７】
本実施の形態の印刷取引処理では、まず、媒体印刷装置１における制御部１９は、制御端末２Ａからの印刷指示が有るのか否かを判定する（図６のステップＳ３０１）。そして、制御端末２Ａからの印刷指示が有ると判定された場合には（ステップＳ３０１：Ｙ）、図７〜図１０を用いて後述する、媒体９Ａから媒体９Ｂの順番での印刷処理（ステップＳ４０１〜Ｓ４３１参照）が行われるものとする（ステップＳ３０２）。一方、制御端末２Ａからの印刷指示が無いと判定された場合には（ステップＳ３０１：Ｎ）、次に制御部１９は、制御端末２Ｂからの印刷指示が有るのか否かを判定する（ステップＳ３０３）。ここで、制御端末２Ｂからの印刷指示も無いと判定された場合には（ステップＳ３０３：Ｎ）、再びステップＳ３０１へと戻ることになる。一方、制御端末２Ｂからの印刷指示は有ると判定された場合には（ステップＳ３０３：Ｙ）、上記したステップＳ３０２とは逆に、媒体９Ｂから媒体９Ａの順番での印刷処理が行われるものとする（ステップＳ３０４）。
【００５８】
なお、この媒体９Ｂから媒体９Ａの順番での印刷処理（ステップＳ３０４）の詳細については、以下詳述する、媒体９Ａから媒体９Ｂの順番での印刷処理（ステップＳ３０２；図７〜図１０のステップＳ４０１〜Ｓ４３１参照）と比較して、以下のようになっている。すなわち、図７〜図１０のステップＳ４０１〜Ｓ４３１において、媒体９Ａ（制御端末２Ａ，媒体検知センサ１０ａ）と、媒体９Ｂ（制御端末２Ｂ，媒体検知センサ１０ｂ）とを、各々逆にした処理に対応しており、基本的には同様の流れの処理となっている。したがって、この媒体９Ｂから媒体９Ａの順番での印刷処理（ステップＳ３０４）の詳細については、説明を省略する。
【００５９】
ここで、上記した媒体９Ａから媒体９Ｂの順番での印刷処理（ステップＳ３０２）では、まず、媒体印刷装置１における制御部１９は、媒体（この場合は媒体９Ａ）の挿入が有るのか否かを判定する（ステップＳ４０１）。媒体の挿入が無いと判定された場合には（ステップＳ４０１：Ｎ）、再びステップＳ４０１へと戻る。一方、媒体の挿入が有ると判定された場合には（ステップＳ４０１：Ｙ）、次に制御部１９は、媒体検知センサ１０ａ，１０ｂによる検知結果に基づいて、媒体の挿入方向が制御端末２Ａ側（媒体検知センサ１０ａ側）であるのか否かを判定する（ステップＳ４０２）。
【００６０】
ここで、媒体の挿入方向が制御端末２Ａ側ではない、すなわち、制御端末２Ｂ側（媒体検知センサ１０ｂ側）であると判定された場合には（ステップＳ４０２：Ｎ）、制御部１９は、以下の処理を行う。すなわち、第１の実施の形態にて説明したのと同様に（図３のステップＳ１０６参照）、制御部１９は、印刷指示端末の設置方向と媒体の挿入方向とが一致していない（誤った媒体を挿入しようとしている）旨を示すアラームを、出力する（ステップＳ４０３）。そして、その後は、上記したステップＳ４０１へと再び戻ることになる。なお、第１の実施の形態にて説明した、図３のステップＳ１０５と同様に、このようなアラームと併せて（あるいはアラームの代わりに）、制御部１９が媒体挿入口１１１等を閉じる制御を行うようにしてもよい。
【００６１】
一方、媒体の挿入方向が制御端末２Ａ側であると判定された場合には（ステップＳ４０２：Ｙ）、次に制御部１９は、この媒体の挿入方向（制御端末２Ａ側）を記憶する（ステップＳ４０４）。そして、制御部１９は、この媒体（媒体９Ａ）を搬送路１２１，１２３上で搬送させ（ステップＳ４０５）、この媒体９Ａに対する印刷部１５による印刷処理を開始させる（ステップＳ４０６）。
【００６２】
続いて、制御部１９は、このような媒体９Ａへの印刷処理の実行中（完了前）において、もう一方の制御端末２Ｂからの他の印刷指示が有るのか否かを判定する（ステップＳ４０７）。制御端末２Ｂからの他の印刷指示が無いと判定された場合には（ステップＳ４０７：Ｎ）、次に後述するステップＳ４１６へと進むことになる。一方、制御端末２Ｂからの他の印刷指示が有ると判定された場合には（ステップＳ４０７：Ｙ）、次に制御部１９は、この制御端末２Ｂからの他の印刷指示を確認済みであるのか否かを判定する（ステップＳ４０８）。ここで、この制御端末２Ｂからの他の印刷指示を確認済みであると判定された場合にも（ステップＳ４０８：Ｙ）、後述するステップＳ４１６へと進むことになる。
【００６３】
一方、この制御端末２Ｂからの他の印刷指示を確認済みではないと判定された場合には（ステップＳ４０８：Ｎ）、次に制御部１９は、他の媒体（この場合は媒体９Ｂ）の挿入が有るのか否かを判定する（図９のステップＳ４０９）。他の媒体の挿入が無いと判定された場合には（ステップＳ４０９：Ｎ）、再びステップＳ４０９へと戻る。一方、他の媒体の挿入が有ると判定された場合には（ステップＳ４０９：Ｙ）、次に制御部１９は、媒体検知センサ１０ａ，１０ｂによる検知結果に基づいて、他の媒体の挿入方向が制御端末２Ｂ側（媒体検知センサ１０ｂ側）であるのか否かを判定する（ステップＳ４１０）。
【００６４】
ここで、他の媒体の挿入方向が制御端末２Ｂ側ではない、すなわち、制御端末２Ａ側（媒体検知センサ１０ａ側）であると判定された場合には（ステップＳ４１０：Ｎ）、制御部１９は、以下の処理を行う。すなわち、上記した図７のステップＳ４０３と同様に、制御部１９は、印刷指示端末の設置方向と媒体の挿入方向とが一致していない（誤った媒体を挿入しようとしている）旨を示すアラームを、出力する（ステップＳ４１１）。そして、その後は、上記したステップＳ４０９へと再び戻ることになる。なお、この場合も、第１の実施の形態にて説明した図３のステップＳ１０５と同様に、このようなアラームと併せて（あるいはアラームの代わりに）、制御部１９が媒体挿入口１１１等を閉じる制御を行うようにしてもよい。
【００６５】
一方、他の媒体の挿入方向が制御端末２Ｂ側であると判定された場合には（ステップＳ４１０：Ｙ）、次に制御部１９は、この他の媒体の挿入方向（制御端末２Ｂ側）を記憶する（ステップＳ４１２）。次いで、制御部１９は、実行中である媒体９Ａへの印刷処理を一時的に停止（中断）させる（ステップＳ４１３）と共に、上記した他の媒体（媒体９Ｂ）を、前述したようにして退避路１６へ一時的に退避させる（ステップＳ４１４）。そして、制御部１９は、上記したようにして一時的に停止させていた、媒体９Ａへの印刷処理を、再開させる（ステップＳ４１５）。
【００６６】
続いて、制御部１９は、この媒体９Ａへの印刷処理が完了したのか否かを判定する（図７のステップＳ４１６）。ここで、媒体９Ａへの印刷処理が完了していないと判定された場合には（ステップＳ４１６：Ｎ）、前述したステップＳ４０７へと再び戻ることになる。一方、媒体９Ａへの印刷処理が完了したと判定された場合には（ステップＳ４１６：Ｙ）、次に制御部１９は、この媒体９Ａの排出処理（媒体挿入口１１１からの排出処理）を開始させる（ステップＳ４１７）。そして、制御部１９は、この媒体９Ａの排出処理が完了したのか否かを判定する（ステップＳ４１８）。
【００６７】
ここで、媒体９Ａの排出処理が完了していないと判定された場合には（ステップＳ４１８：Ｎ）、次に制御部１９は、この媒体９Ａの排出処理の完了前に、媒体検知センサ１０ａ，１０ｂによって他の媒体を検知したのか否かを判定する（ステップＳ４１９）。このような他の媒体を検知していないと判定された場合には（ステップＳ４１９：Ｎ）、上記したステップＳ４１８に再び戻ることになる。一方、このような他の媒体を検知したと判定された場合には（ステップＳ４１９：Ｙ）、次に制御部１９は、媒体の排出処理中である旨を示すアラームを、出力する（ステップＳ４２０）。なお、その後は、上記したステップＳ４１８へと再び戻ることになる。
【００６８】
ここで、上記したステップＳ４１８において、媒体９Ａの排出処理が完了したと判定された場合には（ステップＳ４１８：Ｙ）、次に制御部１９は、退避路１６上に他の媒体（この場合は媒体９Ｂ）が有るのか否かを判定する（ステップＳ４２１）。なお、退避路１６上に他の媒体（媒体９Ｂ）が無いと判定された場合には（ステップＳ４２１：Ｎ）、印刷対象となる媒体が残っていないことなるため、図７〜図１０に示した印刷処理（図６〜図１０に示した一連の印刷取引処理）が終了となる。
【００６９】
一方、退避路１６上に他の媒体（媒体９Ｂ）が有ると判定された場合には（ステップＳ４２１：Ｙ）、次に制御部１９は、この媒体９Ｂを、前述したようにして、退避路１６から復帰させる（図１０のステップＳ４２２）。続いて制御部１９は、この復帰させた媒体９Ｂを、搬送路１２１，１２３上で搬送させ（ステップＳ４２３）、この媒体９Ｂに対する印刷部１５による印刷処理を開始させる（ステップＳ４２４）。
【００７０】
次いで、制御部１９は、この媒体９Ｂへの印刷処理が完了したのか否かを判定する（ステップＳ４２５）。ここで、媒体９Ｂへの印刷処理が完了していないと判定された場合には（ステップＳ４２５：Ｎ）、次に制御部１９は、この媒体９Ｂの印刷処理の完了前に、媒体検知センサ１０ａ，１０ｂによって他の媒体を検知したのか否かを判定する（ステップＳ４２６）。このような他の媒体を検知していないと判定された場合には（ステップＳ４２６：Ｎ）、上記したステップＳ４２５に再び戻ることになる。一方、このような他の媒体を検知したと判定された場合には（ステップＳ４２６：Ｙ）、次に制御部１９は、媒体の印刷処理中である旨を示すアラームを、出力する（ステップＳ４２７）。そして、その後は、上記したステップＳ４２５へと再び戻ることになる。なお、第１の実施の形態にて説明した、図３のステップＳ１０５と同様に、このようなアラームと併せて（あるいはアラームの代わりに）、制御部１９が媒体挿入口１１１等を閉じる制御を行うようにしてもよい。
【００７１】
一方、上記したステップＳ４２５において、媒体９Ｂへの印刷処理が完了したと判定された場合には（ステップＳ４２５：Ｙ）、次に制御部１９は、この媒体９Ｂの排出処理（媒体挿入口１１１からの排出処理）を開始させる（ステップＳ４２８）。そして、制御部１９は、この媒体９Ｂの排出処理が完了したのか否かを判定する（ステップＳ４２９）。
【００７２】
ここで、媒体９Ｂの排出処理が完了していないと判定された場合には（ステップＳ４２９：Ｎ）、次に制御部１９は、この媒体９Ｂの排出処理の完了前に、媒体検知センサ１０ａ，１０ｂによって他の媒体を検知したのか否かを判定する（ステップＳ４３０）。このような他の媒体を検知していないと判定された場合には（ステップＳ４３０：Ｎ）、上記したステップＳ４２９に再び戻ることになる。一方、このような他の媒体を検知したと判定された場合には（ステップＳ４３０：Ｙ）、次に制御部１９は、前述した図８のステップＳ４２０と同様に、媒体の排出処理中である旨を示すアラームを、出力する（ステップＳ４３１）。なお、その後は、上記したステップＳ４２９へと再び戻ることになる。
【００７３】
一方、上記したステップＳ４２９において、媒体９Ｂの排出処理が完了したと判定された場合には（ステップＳ４２９：Ｙ）、前述した媒体９Ａから媒体９Ｂの順番での印刷処理（ステップＳ３０２）が完了となる。したがって、以上で、図７〜図１０に示した印刷処理（図６〜図１０に示した一連の印刷取引処理）が終了となる。
【００７４】
（Ｅ．作用・効果）
このようにして、本実施の形態の媒体印刷システム４（媒体印刷装置１）においても、制御部１９は、基本的には第１の実施の形態と同様にして、各種処理を行う。すなわち、制御部１９は、複数の制御端末２Ａ，２Ｂのうちの印刷指示端末の設置方向と、媒体検知センサ１０ａ，１０ｂにおける検知結果に基づいて判定された媒体の挿入方向と、が一致した場合に、印刷処理を実行させる。
【００７５】
これにより本実施の形態においても、基本的には第１の実施の形態と同様の作用により、同様の効果を得ることが可能である。すなわち、複数の制御端末２Ａ，２Ｂ同士で媒体印刷装置１を共有して印刷処理を行う際の、利便性を向上させることが可能となると共に、媒体に無駄が生じること（無駄な印刷処理）も無くすことも可能となる。
【００７６】
また、特に本実施の形態では、印刷指示端末からの印刷指示に基づく印刷処理の完了前に、複数の制御端末２Ａ，２Ｂのうちの印刷指示端末とは異なる他の制御端末から他の印刷指示が出力されると共に、媒体の挿入方向が上記他の制御端末における設置方向と一致する他の媒体が、媒体検知センサ１０ａ，１０ｂにより検知された場合には、以下のようになる。すなわち、このような場合、制御部１９は、この他の媒体を退避路１６に一時的に退避させると共に、印刷指示端末からの印刷指示に基づく印刷処理の完了後に、この他の媒体を退避路１６から復帰させて、上記他の制御端末からの他の印刷指示に基づく印刷処理を、この他の印刷媒体に対して実行する。これにより本実施の形態では、制御端末２Ａ，２Ｂの操作者８Ａ，８Ｂにとっては、媒体印刷装置１の使用状況を意識せずに２つの媒体９Ａ，９Ｂをそれぞれ挿入したとしても、誤処理（誤った印刷処理）の発生を防止することが可能となる。よって、本実施の形態では第１の実施の形態と比べ、複数の制御端末２Ａ，２Ｂ同士で媒体印刷装置１を共有して印刷処理を行う際の利便性を、更に向上させることが可能となる
【００７７】
更に、本実施の形態では、印刷処理の完了前、または、印刷処理の完了後に実行される媒体の排出処理の完了前に、媒体検知センサ１０ａ，１０ｂによって、印刷処理または排出処理の対象となる媒体とは異なる他の媒体が検知された場合には、制御部１９は、アラームの出力、または、媒体挿入口１１１を閉じる制御を行う。これにより本実施の形態では、誤った媒体の挿入を防止することが可能となったり、誤った媒体の挿入となる旨や、媒体の排出処理中である旨の警告を、操作者８Ａや操作者８Ｂにとって容易に把握することが可能となる。
【００７８】
＜３．変形例＞
以上、実施の形態をいくつか挙げて本開示を説明したが、本開示はこれらの実施の形態に限定されず、種々の変形が可能である。
【００７９】
例えば、上記実施の形態では、媒体印刷装置および媒体印刷システムにおける各部材の構成（形状、配置、個数等）を具体的に挙げて説明したが、各部材におけるこれらの構成については、上記実施の形態で説明したものには限られず、他の形状や配置、個数等であってもよい。また、上記実施の形態で説明した各種パラメータの値や範囲、大小関係等についても、上記実施の形態で説明したものには限られず、他の値や範囲、大小関係等であってもよい。
【００８０】
具体的には、例えば、上記実施の形態では、本開示における「媒体検知部」の一具体例として、複数のセンサ（媒体検知センサ）を用いた場合を例に挙げて説明したが、この例には限られない。すなわち、そのような複数のセンサの代わりに、例えば、複数のスイッチを用いて、本開示における「媒体検知部」を構成するようにしてもよい。
【００８１】
また、上記実施の形態では、媒体印刷装置（制御部）による印刷取引処理（媒体に対する印刷処理等）について、具体例を挙げて説明したが、上記実施の形態で挙げた印刷取引処理（印刷処理等）の例には限られない。すなわち、例えば他の手法を用いて、印刷取引処理（印刷処理等）を行うようにしてもよい。
【００８２】
更に、上記実施の形態では、媒体印刷装置が２つの制御端末に共用されている（媒体印刷装置に対して２つの制御端末がネットワーク網を介して接続されている）場合に適用される印刷取引処理（印刷処理等）を例に挙げて説明したが、この場合には限られない。すなわち、例えば、媒体印刷装置が３つ以上の制御端末に共用されている（媒体印刷装置に対して３つ以上の制御端末がネットワーク網を介して接続されている）場合についても、上記実施の形態で説明した印刷取引処理（印刷処理等）を適用するようにしてもよい。
【００８３】
加えて、上記実施の形態で説明した一連の処理は、ハードウェア（回路）で行われるようにしてもよいし、ソフトウェア（プログラム）で行われるようにしてもよい。ソフトウェアで行われるようにした場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【００８４】
また、これまでに説明した各種の例を、任意の組み合わせで適用させるようにしてもよい。
【００８５】
なお、本明細書中に記載された効果はあくまで例示であって限定されるものではなく、また、他の効果があってもよい。
【００８６】
また、本開示は、以下のような構成を取ることも可能である。
（１）
複数の制御端末がネットワーク網を介して接続されている媒体印刷装置であって、
印刷対象としての媒体が挿入される媒体挿入口と、
前記媒体挿入口に挿入される前記媒体を検知する媒体検知部と、
前記複数の制御端末から出力される印刷指示に基づいて、前記媒体挿入口に挿入された前記媒体に対して印刷処理を行う印刷部と、
前記印刷部における前記印刷処理の制御を行う制御部と
を備え、
前記制御部は、
前記複数の制御端末のうちの前記印刷指示を出力した制御端末である印刷指示端末の前記媒体印刷装置に対する設置方向と、前記媒体検知部における検知結果に基づいて判定された前記媒体の挿入方向とが一致した場合に、
前記印刷処理を実行させる
媒体印刷装置。
（２）
前記制御部は、
前記印刷指示端末における前記設置方向と、前記媒体の挿入方向とが一致しない場合には、
前記媒体挿入口を閉じる制御を行う
上記（１）に記載の媒体印刷装置。
（３）
前記制御部は、
前記印刷指示端末における前記設置方向と、前記媒体の挿入方向とが一致しない場合に、
アラームを更に出力する
上記（２）に記載の媒体印刷装置。
（４）
前記媒体を退避させるための退避路を更に備え、
前記制御部は、
前記印刷指示端末からの前記印刷指示に基づく前記印刷処理の完了前に、
前記複数の制御端末のうちの前記印刷指示端末とは異なる他の制御端末から他の印刷指示が出力されると共に、前記媒体の挿入方向が前記他の制御端末における前記設置方向と一致する他の媒体が、前記媒体検知部により検知された場合には、
前記他の媒体を、前記退避路に一時的に退避させる
上記（１）ないし（３）のいずれかに記載の媒体印刷装置。
（５）
前記制御部は、
前記印刷指示端末からの前記印刷指示に基づく前記印刷処理の完了後に、
前記他の媒体を前記退避路から復帰させて、前記他の制御端末からの前記他の印刷指示に基づく前記印刷処理を、前記他の印刷媒体に対して実行する
上記（４）に記載の媒体印刷装置。
（６）
前記媒体検知部が、前記媒体印刷装置を基準とした前記複数の制御端末の設置方向ごとに個別に配置された複数のセンサを含んで構成されており、
前記制御部は、前記複数のセンサのうちのいずれのセンサにおいて前記媒体が検知されたのかを示す前記検知結果に基づいて、前記媒体の挿入方向を判定する
上記（１）ないし（５）のいずれかに記載の媒体印刷装置。
（７）
前記制御部は、
前記印刷処理の完了前、または、前記印刷処理の完了後に実行される前記媒体の排出処理の完了前に、
前記媒体検知部によって、前記印刷処理または前記排出処理の対象となる前記媒体とは異なる他の媒体が検知された場合には、
アラームの出力、または、前記媒体挿入口を閉じる制御を行う
上記（１）ないし（６）のいずれかに記載の媒体印刷装置。
（８）
媒体印刷装置と、
前記媒体印刷装置に対してネットワーク網を介して接続されている複数の制御端末と
を備え、
前記媒体印刷装置は、
印刷対象としての媒体が挿入される媒体挿入口と、
前記媒体挿入口に挿入される前記媒体を検知する媒体検知部と、
前記複数の制御端末から出力される印刷指示に基づいて、前記媒体挿入口に挿入された前記媒体に対して印刷処理を行う印刷部と、
前記印刷部における前記印刷処理の制御を行う制御部と
を備え、
前記制御部は、
前記複数の制御端末のうちの前記印刷指示を出力した制御端末である印刷指示端末の前記媒体印刷装置に対する設置方向と、前記媒体検知部における検知結果に基づいて判定された前記媒体の挿入方向とが一致した場合に、
前記印刷処理を実行させる
媒体印刷システム。
【符号の説明】
【００８７】
１…媒体印刷装置、１０ａ，１０ｂ…媒体検知センサ、１１１，１１２…媒体挿入口、１２１，１２２，１２３…搬送路、１３…搬送ローラ、１４…位置センサ、１５…印刷部、１６…退避路、１９…制御部、２Ａ，２Ｂ…制御端末、３…ネットワーク網、４…媒体印刷システム、８Ａ，８Ｂ…操作者、９Ａ，９Ｂ…媒体、ｄ１，ｄ２，ｄ６…搬送方向。
【図１】
2019155810.tif 000003
【図２】
2019155810.tif 000004
【図３】
2019155810.tif 000005
【図４】
2019155810.tif 000006
【図５】
2019155810.tif 000007
【図６】
2019155810.tif 000008
【図７】
2019155810.tif 000009
【図８】
2019155810.tif 000010
【図９】
2019155810.tif 000011
【図１０】
2019155810.tif 000012